【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】
上面が開放された有底の袋体の内側各面に断熱体を有する本体と、内側面に断熱体を有し、前記本体の開放面を被蔽する蓋体とからなり、前記本体は、前面、後面、両側面、及び底面にそれぞれ配設された断熱体を前記袋体の底面に積層することにより折り畳み可能に構成され、折り畳み時には、前記本体を折り畳んだ上に蓋体を重ねて係止することにより占有面積が前記本体と同一の略直方体となる折り畳み式保冷容器において、
厚みが２ｍｍ以上３５ｍｍ以下で初期熱伝導率が０．０１Ｗ／ｍＫ以下の真空断熱材の周囲を被覆材で包囲したものを、前記断熱体に用いることにより、折り畳み時の前記略直方体の高さを２４０ｍｍ以下にするとともに、融点が−５℃〜−３℃の蓄冷剤を少なくとも内容積３０リットルにつき１個使用した場合に、容器内の平均温度を３℃±３Ｋで６時間以上保持可能な断熱性能をもたせたことを特徴とする折り畳み式保冷容器。
【請求項２】
上面が開放された有底の袋体の内側各面に断熱体を有する本体と、内側面に断熱体を有し、前記本体の開放面を被蔽する蓋体とからなり、前記本体は、前面、後面、両側面、及び底面にそれぞれ配設された断熱体を前記袋体の底面に積層することにより折り畳み可能に構成され、折り畳み時には、前記本体を折り畳んだ上に蓋体を重ねて係止することにより占有面積が前記本体と同一の略直方体となる折り畳み式保冷容器において、
厚みが２ｍｍ以上３５ｍｍ以下で初期熱伝導率が０．０１Ｗ／ｍＫ以下の真空断熱材の周囲を被覆材で包囲したものを、前記断熱体に用いることにより、融点が−５℃〜−３℃の蓄冷剤を少なくとも内容積３０リットルにつき１個使用した場合に、容器内の平均温度を３℃±３Ｋで１０時間以上保持可能な断熱性能をもたせたことを特徴とする折り畳み式保冷容器。
【請求項３】
少なくとも蓋体又は本体の内側に蓄冷剤袋を設けた請求項１または２記載の折り畳み式保冷容器。
【請求項４】
内容積が１００リットル以上である請求項１から３のうちいずれか一項記載の折り畳み式保冷容器。
【請求項５】
底面は、一辺が４５０ｍｍ以上６８０ｍｍ以下の矩形である請求項１から４のうちいずれか一項記載の折り畳み式保冷容器。
【請求項６】
真空断熱材は、繊維材料を圧縮成形した芯材をガスバリア性が高い外被材で覆って内部を減圧して真空封入したものである請求項１から５のうちいずれか一項記載の折り畳み式保冷容器。
【請求項７】
断熱体の厚みは１０ｍｍ以上で、前記断熱体の初期熱伝導率は０．０１５Ｗ／ｍＫ以下である請求項１から６のうちいずれか一項記載の折り畳み式保冷容器。
【請求項８】
断熱体は、断熱体全周を包囲する断熱体保持材に出し入れ可能に収納され、前記断熱体保持材と前記袋体とは耐水性を有する生地により構成された請求項１から７のうちいずれか一項記載の折り畳み式保冷容器。
【請求項９】
耐水性を有する生地が、ポリエステル生地に防水加工を施したものである請求項８記載の折り畳み式保冷容器。
【請求項１０】
断熱体を構成する材料名と、真空断熱材が内包されていることとを明記した請求項１から９のうちいずれか一項記載の折り畳み式保冷容器。
【手続補正２】
【補正対象書類名】明細書
【補正対象項目名】００１４
【補正方法】変更
【補正の内容】
【００１４】
【課題を解決するための手段】
本発明の請求項１に記載の発明は、上面が開放された有底の袋体の内側各面に断熱体を有する本体と、内側面に断熱体を有し、前記本体の開放面を被蔽する蓋体とからなり、前記本体は、前面、後面、両側面、及び底面にそれぞれ配設された断熱体を前記袋体の底面に積層することにより折り畳み可能に構成され、折り畳み時には、前記本体を折り畳んだ上に蓋体を重ねて係止することにより占有面積が前記本体と同一の略直方体となる折り畳み式保冷容器において、厚みが２ｍｍ以上３５ｍｍ以下で初期熱伝導率が０．０１Ｗ／ｍＫ以下の真空断熱材の周囲を被覆材で包囲したものを、前記断熱体に用いることにより、折り畳み時の前記略直方体の高さを２４０ｍｍ以下にするとともに、融点が−５℃〜−３℃の蓄冷剤を少なくとも内容積３０リットルにつき１個使用した場合に、容器内の平均温度を３℃±３Ｋで６時間以上保持可能な断熱性能をもたせたことにより、真空断熱材により断熱性能が格段に向上して薄い断熱体でも所定の保冷保温性能が得られ、輸送時の保冷時間の伸長が可能になるとともに、被覆材が真空断熱材を保護することにより断熱性能を維持することができる。また、周囲を包囲する被覆材との組合せで薄くても所定の断熱性能が得られるとともに、被覆材により断熱体としての剛性を確保することができるという作用を有する。また、使用しない時にはコンパクトに折り畳み可能で容積が小さく省スペース化が図れ、回送時の輸送効率や保管効率を向上することができる上に、低温保管が必要な輸送貨物の小口輸送における保冷品質は少ない蓄冷剤で充分に保つことができるという作用を有する。
【手続補正３】
【補正対象書類名】明細書
【補正対象項目名】００１５
【補正方法】変更
【補正の内容】
【００１５】
本発明の請求項２に記載の発明は、上面が開放された有底の袋体の内側各面に断熱体を有する本体と、内側面に断熱体を有し、前記本体の開放面を被蔽する蓋体とからなり、前記本体は、前面、後面、両側面、及び底面にそれぞれ配設された断熱体を前記袋体の底面に積層することにより折り畳み可能に構成され、折り畳み時には、前記本体を折り畳んだ上に蓋体を重ねて係止することにより占有面積が前記本体と同一の略直方体となる折り畳み式保冷容器において、厚みが２ｍｍ以上３５ｍｍ以下で初期熱伝導率が０．０１Ｗ／ｍＫ以下の真空断熱材の周囲を被覆材で包囲したものを、前記断熱体に用いることにより、融点が−５℃〜−３℃の蓄冷剤を少なくとも内容積３０リットルにつき１個使用した場合に、容器内の平均温度を３℃±３Ｋで１０時間以上保持可能な断熱性能をもたせたことにより、真空断熱材により断熱性能が格段に向上して薄い断熱体でも所定の保冷保温性能が得られ、輸送時の保冷時間の伸長が可能になるとともに、被覆材が真空断熱材を保護することにより断熱性能を維持することができる。また、周囲を包囲する被覆材との組合せで薄くても所定の断熱性能が得られるとともに、被覆材により断熱体としての剛性を確保することができるという作用を有する。また、所定の温度を従来以上に長く保持することができ、低温保管が必要な輸送貨物の小口輸送における保冷品質の保持をより長く保証することが可能になるとともに、長距離が想定される配送拠点間の輸送にも使用することが可能になるという作用を有する。
【手続補正４】
【補正対象書類名】明細書
【補正対象項目名】００１６
【補正方法】変更
【補正の内容】
【００１６】
請求項３に記載の発明は、請求項１または２記載の発明において、少なくとも蓋体又は本体の内側に蓄冷剤袋を設けたものである。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
請求項６に記載の発明は、請求項１から５のうちいずれかに記載の発明において、真空断熱材が、繊維材料を圧縮成形した芯材をガスバリア性が高い外被材で覆って内部を減圧して真空封入したものであり、より断熱性能が優れる真空断熱材を使用することにより、より薄い断熱体でも所定の保冷保温性能が得られ、輸送時の保冷時間の更なる伸長が可能になるという作用を有する。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
請求項７に記載の発明は、請求項１から６のうちいずれかに記載の発明において、断熱体の厚みは１０ｍｍ以上で、断熱体の初期熱伝導率を０．０１５Ｗ／ｍＫ以下としたものであり、少ない蓄冷剤でも所定温度を所定時間保持することが可能になるという作用を有する。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
請求項８に記載の発明は、請求項１から７のうちいずれかに記載の発明において、断熱体は、断熱体全周を包囲する断熱体保持材に出し入れ可能に収納され、この断熱体保持材と袋体とは耐水性を有する生地により構成されたものであり、生地が吸湿して伸縮するなどの悪影響がなく、断熱体も位置がずれたりすることがない。また、断熱体が損傷したときには容易に交換することが可能であるという作用を有する。
【手続補正１２】
【補正対象書類名】明細書
【補正対象項目名】００２６
【補正方法】変更
【補正の内容】
【００２６】
請求項９に記載の発明は、請求項８記載の発明において、耐水性を有する生地がポリエステル生地に防水加工を施したものであり、保冷容器内の気体の漏洩がほとんどないため無駄な熱漏洩も少なく、保冷性能の向上に寄与するという作用を有する。
【手続補正１３】
【補正対象書類名】明細書
【補正対象項目名】００２７
【補正方法】変更
【補正の内容】
【００２７】
請求項１０に記載の発明は、請求項１から９のうちいずれかに記載の発明において、断熱体を構成する材料名と、真空断熱材が内包されていることとを明記したものであり、断熱体の廃棄時における分別や再利用が容易になるという作用を有する。
【手続補正１４】
【補正対象書類名】明細書
【補正対象項目名】００６１
【補正方法】変更
【補正の内容】
【００６１】
【発明の効果】
以上説明したように請求項１に記載の発明は、上面が開放された有底の袋体の内側各面に断熱体を有する本体と、内側面に断熱体を有し、前記本体の開放面を被蔽する蓋体とからなり、前記本体は、前面、後面、両側面、及び底面にそれぞれ配設された断熱体を前記袋体の底面に積層することにより折り畳み可能に構成され、折り畳み時には、前記本体を折り畳んだ上に蓋体を重ねて係止することにより占有面積が前記本体と同一の略直方体となる折り畳み式保冷容器において、厚みが２ｍｍ以上３５ｍｍ以下で初期熱伝導率が０．０１Ｗ／ｍＫ以下の真空断熱材の周囲を被覆材で包囲したものを、前記断熱体に用いることにより、折り畳み時の前記略直方体の高さを２４０ｍｍ以下にするとともに、融点が−５℃〜−３℃の蓄冷剤を少なくとも内容積３０リットルにつき１個使用した場合に、容器内の平均温度を３℃±３Ｋで６時間以上保持可能な断熱性能をもたせたことにより、真空断熱材により断熱性能が格段に向上して薄い断熱体でも所定の保冷保温性能が得られ、輸送時の保冷時間の伸長が可能になるとともに、被覆材が真空断熱材を保護することにより断熱性能を維持することができる。また、周囲を包囲する被覆材との組合せで薄くても所定の断熱性能が得られるとともに、被覆材により断熱体としての剛性を確保することができる。また、使用しない時にはコンパクトに折り畳み可能で容積が小さく省スペース化が図れ、回送時の輸送効率や保管効率を向上することができる上に、低温保管が必要な輸送貨物の小口輸送における保冷品質は少ない蓄冷剤で充分に保つことができる。
【手続補正１５】
【補正対象書類名】明細書
【補正対象項目名】００６２
【補正方法】変更
【補正の内容】
【００６２】
また、請求項２に記載の発明は、上面が開放された有底の袋体の内側各面に断熱体を有する本体と、内側面に断熱体を有し、前記本体の開放面を被蔽する蓋体とからなり、前記本体は、前面、後面、両側面、及び底面にそれぞれ配設された断熱体を前記袋体の底面に積層することにより折り畳み可能に構成され、折り畳み時には、前記本体を折り畳んだ上に蓋体を重ねて係止することにより占有面積が前記本体と同一の略直方体となる折り畳み式保冷容器において、厚みが２ｍｍ以上３５ｍｍ以下で初期熱伝導率が０．０１Ｗ／ｍＫ以下の真空断熱材の周囲を被覆材で包囲したものを、前記断熱体に用いることにより、融点が−５℃〜−３℃の蓄冷剤を少なくとも内容積３０リットルにつき１個使用した場合に、容器内の平均温度を３℃±３Ｋで１０時間以上保持可能な断熱性能をもたせたことにより、真空断熱材により断熱性能が格段に向上して薄い断熱体でも所定の保冷保温性能が得られ、輸送時の保冷時間の伸長が可能になるとともに、被覆材が真空断熱材を保護することにより断熱性能を維持することができる。また、周囲を包囲する被覆材との組合せで薄くても所定の断熱性能が得られるとともに、被覆材により断熱体としての剛性を確保することができる。また、所定の温度を従来以上に長く保持することができ、低温保管が必要な輸送貨物の小口輸送における保冷品質の保持をより長く保証することが可能になるとともに、長距離が想定される配送拠点間の輸送にも使用することが可能になる。
【手続補正１６】
【補正対象書類名】明細書
【補正対象項目名】００６３
【補正方法】変更
【補正の内容】
【００６３】
また、請求項３に記載の発明は、請求項１または２記載の発明において、少なくとも蓋体又は箱体の内側に蓄冷剤袋を設けたものである。
【手続補正１７】
【補正対象書類名】明細書
【補正対象項目名】００６４
【補正方法】変更
【補正の内容】
【００６４】
また、請求項４に記載の発明は、請求項１から３のうちいずれかに記載の発明において、内容積を１００リットル以上としたものであり、小口輸送における輸送貨物に対して十分な容量を確保することができる。
【手続補正１８】
【補正対象書類名】明細書
【補正対象項目名】００６６
【補正方法】削除
【補正の内容】
【手続補正１９】
【補正対象書類名】明細書
【補正対象項目名】００６７
【補正方法】変更
【補正の内容】
【００６７】
また、請求項６に記載の発明は、請求項１から５のうちいずれかに記載の発明において、真空断熱材が、繊維材料を圧縮成形した芯材をガスバリア性が高い外被材で覆って内部を減圧して真空封入したもので、より断熱性能が優れる真空断熱材を使用することにより、より薄い断熱体でも所定の保冷保温性能が得られ、輸送時の保冷時間の更なる伸長が可能になる。
【手続補正２０】
【補正対象書類名】明細書
【補正対象項目名】００６８
【補正方法】削除
【補正の内容】
【手続補正２１】
【補正対象書類名】明細書
【補正対象項目名】００６９
【補正方法】変更
【補正の内容】
【００６９】
また、請求項７に記載の発明は、請求項１から６のうちいずれかに記載の発明において、断熱体の厚みは１０ｍｍ以上で、断熱体の初期熱伝導率を０．０１５Ｗ／ｍＫ以下としたもので、少ない蓄冷剤でも所定温度を所定時間保持することができる。
【手続補正２２】
【補正対象書類名】明細書
【補正対象項目名】００７０
【補正方法】削除
【補正の内容】
【手続補正２３】
【補正対象書類名】明細書
【補正対象項目名】００７１
【補正方法】削除
【補正の内容】
【手続補正２４】
【補正対象書類名】明細書
【補正対象項目名】００７２
【補正方法】変更
【補正の内容】
【００７２】
また、請求項８に記載の発明は、請求項１から７のうちいずれかに記載の発明において、断熱体が全周を包囲する断熱体保持材に出し入れ可能に収納され、この断熱体保持材と袋体とは耐水性を有する生地により構成されたもので、生地が吸湿して伸縮するなどの悪影響がなく、断熱体も位置がずれたりすることがない。また、断熱体が損傷したときには容易に交換することが可能である。
【手続補正２５】
【補正対象書類名】明細書
【補正対象項目名】００７３
【補正方法】変更
【補正の内容】
【００７３】
また、請求項９に記載の発明は、請求項８記載の発明において、耐水性を有する生地がポリエステル生地に防水加工を施したもので、保冷容器内の気体の漏洩がほとんどないため無駄な熱漏洩も少なく、保冷性能の向上に寄与することができる。
【手続補正２６】
【補正対象書類名】明細書
【補正対象項目名】００７４
【補正方法】変更
【補正の内容】
【００７４】
また、請求項１０に記載の発明は、請求項１から９のうちいずれかに記載の発明において、断熱体を構成する材料名と、真空断熱材が内包されていることとを明記したもので、断熱体の廃棄時における分別や再利用が容易になる。